(57)【要約】【課題】呼吸動作の設定間違いを防止することができる動作指示装置およびそれを備えたＸ線撮影装置を提供する。【解決手段】テーブル２２は、撮影部位および検査種別の複数の組合せに各々対応する複数の呼吸動作指示データを記憶する。スピーカ２５および表示器２６は、呼吸動作指示データに従って呼吸動作を指示する。呼吸動作指示データは、制御部２１により、撮影部位および検査種別の組合せに応じた指示データをテーブル２２から取得される。これにより、撮影部位および検査種別の所定の組合せに対応する呼吸動作の指示データの設定間違いを防止できる。そのため、設定間違いに起因するＸ線撮影のやり直しを防止でき、被検体の負担を防止できる。また、Ｘ線撮影をやり直すにより検査時間が延びることを防止し、スループット低下の発生を防止できる。【選択図】図２
2020195733.tif 000002
【特許請求の範囲】
【請求項１】
撮影部位および検査種別の複数の組合せに各々対応する複数の呼吸動作指示データであって、呼気動作、吸気動作および状態維持動作の少なくとも１つを各々有する前記複数の呼吸動作指示データを記憶する指示データ記憶部と、
外部からの撮影部位および検査種別の組合せを受信すると、受信した組合せに応じた前記呼吸動作指示データを前記指示データ記憶部から取得する制御部と、
前記制御部が取得した前記呼吸動作指示データに従って、呼吸動作を指示する指示実行部と、
を備えていることを特徴とする動作指示装置。
【請求項２】
請求項１に記載の動作指示装置において、
前記指示実行部は、前記呼吸動作指示データに従って、音声案内により呼吸動作を指示するスピーカであることを特徴とする動作指示装置。
【請求項３】
請求項１に記載の動作指示装置において、
前記指示実行部は、前記呼吸動作指示データに従って、視覚的表示により呼吸動作を指示する表示器であることを特徴とする動作指示装置。
【請求項４】
請求項１から３のいずれかに記載の動作指示装置において、
撮影部位および検査種別の一部または全部を表示すると共に、前記呼吸動作指示データも合わせて表示するディスプレイ部および、前記ディスプレイ部に表示された前記動作指示データを変更することができる操作入力部を有する動作指示操作部を更に備えていることを特徴とする動作指示装置。
【請求項５】
Ｘ線撮影を行うＸ線撮影装置において、
撮影部位および検査種別の組合せを入力する入力部と、
Ｘ線を照射するＸ線照射部と、
Ｘ線を検出するＸ線検出器と、
前記Ｘ線検出器で検出されたＸ線の画素値からなる画像を処理することにより、Ｘ線画像を生成する画像処理部と、
被検体に呼吸動作を指示する動作指示装置と、を備え、
前記動作指示装置は、
撮影部位および検査種別の組合せに各々対応する複数の呼吸動作指示データであって、呼気動作、吸気動作および状態維持動作の少なくとも１つを各々有する前記呼吸動作指示データを記憶する指示データ記憶部と、
前記入力部からの撮影部位および検査種別の組合せを受信すると、受信した組合せに応じた前記呼吸動作指示データを前記呼吸動作記憶部から取得する制御部と、
前記制御部が取得した前記呼吸動作指示データに従って、呼吸動作を指示する指示実行部と、
を備えていることを特徴とするＸ線撮影装置。
【請求項６】
請求項５に記載の動作指示装置において、
前記入力部は、外部管理システムから送られた複数のＸ線撮影メニューであって、撮影部位および検査種別を各々有する前記複数のＸ線撮影メニューを受信し、
前記制御部は、前記複数のＸ線撮影メニューに基づいてＸ線撮影を順番に行うために、前記複数のＸ線撮影メニューの各々の撮影部位および検査種別の組合せに応じた前記呼吸動作指示データを前記呼吸動作記憶部から取得することを特徴とするＸ線撮影装置。
【発明の詳細な説明】
【技術分野】
【０００１】
本発明は、被検体に対して呼吸動作を指示する動作指示装置および、それを備えた、被検体に対してＸ線撮影を行うＸ線撮影装置に関する。
【背景技術】
【０００２】
Ｘ線撮影装置は、Ｘ線を照射するＸ線照射部と、Ｘ線を検出するＸ線検出器（Ｘ線受像部）と、それを搭載する撮影台と、装置全体を制御する制御部とを備えている。Ｘ線照射部は、Ｘ線管と、Ｘ線管を保持するＸ線管保持部と、Ｘ線管から照射されるＸ線の照射野を制御するコリメータと、Ｘ線管の管電圧や管電流のための高電圧を発生する高電圧発生部とを備えている。撮影台は、被検体を水平姿勢に載置するテーブル、被検体を立位姿勢で保持するスタンド、またはテーブルおよびスタンドを組み合わせたもので構成されている。その他、Ｘ線撮影装置は、Ｘ線照射部とＸ線検出器とを移動させる移動機構を備えているものもある。
【０００３】
一般的に、撮影の対象である被検体の検査を行う際に、放射線科情報システム（RIS: Radiology Information System）は、画像処理ユニット（以下、「ＤＲ装置」と略記する）に対して検査オーダーを発行する。なお、放射線科情報システムは、以下「ＲＩＳ」と呼ぶ。また、画像処理ユニットは、以下「ＤＲ装置（digital radiography system）」と呼ぶ。検査オーダーは、例えば、被検体の情報（氏名、性別、年齢など）およびＸ線撮影メニューなどを含んでいる。１人の被検体に対して複数のＸ線撮影メニュー（胸部、肺部、腹部など）が予定されていることがある。
【０００４】
Ｘ線撮影装置の技師（操作者）がＤＲ装置の操作卓（コンソール）から検査オーダーを選択すると、被検体の情報および展開されたＸ線撮影メニューに応じた撮影条件がＸ線撮影装置（またはＸ線撮影装置本体）に通知される。検査で予定されている全てのＸ線撮影を終了すると、技師はＲＩＳに検査終了を通知して、撮影で得られたＸ線画像（撮影画像）をサーバーに転送する。
【０００５】
胸部、肺部および腹部などの各々の撮影は、診断に適切な画像を取得するために、被検体を所定の呼吸状態にさせて行われる。例えば、胸部の撮影は、呼吸停止した状態（状態維持）で行われる。肺部の撮影は、呼気の状態で呼吸停止して行われる。また、腹部の撮影は、吸気の状態で呼吸停止して行われる。このように、Ｘ線撮影に応じて被検体に対して異なる呼吸動作が指示される。
【０００６】
被検体に対する呼吸動作（例えば呼気動作、吸気動作または状態維持動作）は、技師の口頭による指示によって行われる場合もある。また、呼吸動作は、スピーカまたは表示器からの指示によって行われる場合もある。例えば、技師の撮影操作にタイミングを合わせて、被検体に対してスピーカによって音声指示を自動的に出す機能は、「オートボイス機能」と呼ばれる。撮影準備の開始操作時には、例えば撮影用ハンドスイッチ（曝射スイッチ）によって呼吸動作の指示を出し、撮影完了時には、例えば状態維持の解除の指示を出す。
【０００７】
Ｘ線撮影装置は、オートボイス機能を有する医療用音声発生装置を外付けし、あるいはその音声発生装置を内蔵する。
【０００８】
この種の医療用音声発生装置として、例えば特許文献１に記載の装置がある。この装置は、被検体の呼吸停止のタイミングを、被検体の画像を撮影するタイミングとしての音声ガイダンスの出力タイミングと合致させる制御を行う。
【先行技術文献】
【特許文献】
【０００９】
【特許文献１】特開２００８−０６７９３５号公報
【発明の概要】
【発明が解決しようとする課題】
【００１０】
しかしながら、このような構成を有する従来例の場合には、次のような問題がある。
従来の装置は、撮影部位に応じて呼気または吸気の状態を狙った撮影を行う。この際、どのような順序で呼吸動作を行うかは、技師が医療用音声発生装置の操作盤面上で手動で設定することによって行われる。手動の設定を間違えると、間違えた設定に応じた呼吸を被検体はしてしまう。その結果、撮影操作をやり直す必要が生じ、技師および被検体への負担が大きくなるという問題が考えられる。また、撮影操作のやり直しにより検査時間が延びて検査のスループットが低下するという問題もある。
【００１１】
本発明は、このような事情に鑑みてなされたものであって、呼吸動作の設定間違いを防止することができる動作指示装置およびそれを備えたＸ線撮影装置を提供することを目的とする。
【課題を解決するための手段】
【００１２】
本発明は、このような目的を達成するために、次のような構成をとる。
すなわち、本発明に係る動作指示装置は、撮影部位および検査種別の複数の組合せに各々対応する複数の呼吸動作指示データであって、呼気動作、吸気動作および状態維持動作の少なくとも１つを各々有する前記複数の呼吸動作指示データを記憶する指示データ記憶部と、外部からの撮影部位および検査種別の組合せを受信すると、受信した組合せに応じた前記呼吸動作指示データを前記指示データ記憶部から取得する制御部と、前記制御部が取得した前記呼吸動作指示データに従って、呼吸動作を指示する指示実行部と、を備えていることを特徴とするものである。
【００１３】
また、本発明に係る、Ｘ線撮影を行うＸ線撮影装置は、撮影部位および検査種別の組合せを入力する入力部と、Ｘ線を照射するＸ線照射部と、Ｘ線を検出するＸ線検出器と、前記Ｘ線検出器で検出されたＸ線の画素値からなる画像を処理することにより、Ｘ線画像を生成する画像処理部と、被検体に呼吸動作を指示する動作指示装置と、を備え、前記動作指示装置は、撮影部位および検査種別の組合せに各々対応する複数の呼吸動作指示データであって、呼気動作、吸気動作および状態維持動作の少なくとも１つを各々有する前記呼吸動作指示データを記憶する指示データ記憶部と、前記入力部からの撮影部位および検査種別の組合せを受信すると、受信した組合せに応じた前記呼吸動作指示データを前記呼吸動作記憶部から取得する制御部と、前記制御部が取得した前記呼吸動作指示データに従って、呼吸動作を指示する指示実行部と、を備えていることを特徴とするものである。
【発明の効果】
【００１４】
本発明に係る動作指示装置およびそれを備えたＸ線撮影装置によれば、指示データ記憶部は、撮影部位および検査種別の複数の組合せに各々対応する複数の呼吸動作指示データを記憶する。指示実行部は、呼吸動作指示データに従って、呼吸動作を指示する。呼吸動作指示データは、制御部により、撮影部位および検査種別の組合せに応じた呼吸動作指示データを指示データ記憶部から取得される。すなわち、制御部は、撮影部位および検査種別の組合せに対応する最適な呼吸動作指示データを取得する。これにより、撮影部位および検査種別の所定の組合せに対応する呼吸動作の設定間違いを防止できる。
【図面の簡単な説明】
【００１５】
【図１】各実施例に係る立位スタンドからなるＸ線撮影装置の概略斜視図である。
【図２】実施例１に係るＸ線撮影装置および医療用音声発生装置のブロック図である。
【図３】（ａ）は、撮影部位および検査種別の組合せと呼吸動作指示データの対応付けの一例を示す図であり、（ｂ）は、各検査オーダーの撮影部位および検査種別の組合せに応じて呼吸動作指示データを取得する様子を説明するための図である。
【図４】呼吸動作の確認および変更を行うための操作用ディスプレイに表示される画面の一例を示す図である。
【図５】実施例２に係るＸ線撮影装置および医療用音声発生装置のブロック図である。
【実施例１】
【００１６】
以下、図面を参照して本発明の実施例１を説明する。図１は、各実施例に係る立位スタンドからなるＸ線撮影装置の概略斜視図である。図２は、実施例１に係るＸ線撮影装置および医療用音声発生装置（以下、「音声発生装置」と呼ぶ）のブロック図である。後述する実施例２も含めて、本実施例１ではＸ線検出器としてフラットパネル型Ｘ線検出器（FPD: Flat Panel Detector）を例に採って説明する。また、図１は各実施例とも共通の構成である。
【００１７】
＜Ｘ線撮影装置１の構成＞
図１を参照する。Ｘ線撮影装置１は、Ｘ線管２、フラットパネル型Ｘ線検出器（以下、「ＦＰＤ」と呼ぶ）３、支柱４および立位スタンド５を備えている。
【００１８】
Ｘ線管２は、Ｘ線を照射する。ＦＰＤ３は、Ｘ線管２から被検体Ｍに照射され、被検体Ｍを透過したＸ線を検出する。Ｘ線管２の照射側には、Ｘ線の照射野を制御するコリメータ（図示省略）が設けられている。Ｘ線管２は、支柱４に支持され、向きが調整可能に構成されている。支柱４は、天井に沿って敷設されたレール（図示省略）に沿って移動可能（走行可能）である。この支柱４は伸縮可能に構成されている。Ｘ線管２は支柱４により支持されているので、Ｘ線管２は水平／昇降移動可能である。
【００１９】
立位スタンド５は、被検体Ｍを立位姿勢で支持する。立位スタンド５は床面に設置されている。ＦＰＤ３は、立位スタンド５に搭載され、上下に昇降移動可能に構成されている。胸部、肺部、腹部などの撮影部位を撮影する場合には、撮影部位（例えば胸部）に位置するようにＦＰＤ３を上下に昇降移動させてポジショニング（位置合わせ）を行う。Ｘ線管２からのＸ線が、撮影部位にポジショニングされたＦＰＤ３に照射されるようにＸ線管２の向きを調整し、撮影部位に対向した位置にＸ線管２が位置するように支柱４を伸縮移動させる。なお、Ｘ線管２からのＸ線が、被検体Ｍを水平姿勢に載置するテーブル（撮影台）（図示省略）に照射されるようにＸ線管２の向きを調整することも可能である。
【００２０】
図２を参照する。Ｘ線撮影装置１は、更に、入力ポート１０、画像処理部１１、操作卓（コンソール）１２、撮影用制御部１３、曝射スイッチ１４および記憶部１５を備えている。
【００２１】
入力ポート１０はＲＩＳからの検査オーダーが入力されるものである。入力ポート１０は、検査オーダーを有線で受け取る場合は、例えば端子および電気回路などで構成されている。また、入力ポート１０は、検査オーダーを無線で受け取る場合は、例えばアンテナおよび電気回路などで構成されている。検査オーダーは、被検体の情報（氏名、性別、年齢など）および１つ又は複数のＸ線撮影メニューが含まれている。
【００２２】
撮影メニューは、撮影部位（胸部、肺部、腹部など）および検査種別の情報を含んでいる。検査種別は、例えば検査（Ｘ線撮影）の種類を区別するための情報である。例えば、検査種別は、文字、記号、数字又はこれらの組合せで構成されていてもよい。また、検査種別は、撮影方向および体厚などの情報であってもよい。検査種別は、撮影部位を含み、撮影部位、撮影方向および体厚などの情報であってもよい。
【００２３】
画像処理部１１は、ＦＰＤ３で検出されたＸ線の画素値からなる画像を処理することにより、Ｘ線画像を生成する。操作卓１２は、技師によって例えば撮影条件を設定および変更することができるように構成されている。操作卓１２は、操作用ディスプレイ（モニタ）１２Ａと操作入力部１２Ｂを備えている。操作用ディスプレイ１２Ａは、例えば液晶ディスプレイまたは有機ＥＬ（organic electro-luminescence）ディスプレイで構成されている。操作入力部１２Ｂは、複数のスイッチ、タッチパネル、キーボードおよびマウスの少なくとも１つを備えている。なお、タッチパネルは、例えば抵抗膜方式のタッチパネルで構成され、操作用ディスプレイ１２Ａの前面に配置される。
【００２４】
撮影用制御部１３は、撮影に関して統括制御する。画像処理部１１、撮影用制御部１３および後述する制御部２１は、中央演算処理装置（ＣＰＵ；Central Processing Unit）などで構成されている。なお、画像処理部１１については、ＧＰＵ(Graphics Processing Unit)などの回路で構成されてもよい。
【００２５】
曝射スイッチ１４は、押下することにより照射準備・照射開始を行う。曝射スイッチ１４は２段スイッチで構成されている。技師が曝射スイッチ１４を半押しすること（１段目の押し込み）により、Ｘ線管２に管電圧を印加して照射準備を設定する。技師が曝射スイッチ１４を全押しすること（２段目の押し込み）により、Ｘ線管２からのＸ線の照射を開始する。
【００２６】
なお、曝射スイッチ１４を全押ししたタイミングと同時にＸ線管２からのＸ線の照射を開始しないことに留意されたい。何れの撮影部位においても呼吸停止した状態（状態維持）で撮影を行うので、曝射スイッチ１４を全押ししたタイミングから予め設定された時間が経過した後にＸ線管２からのＸ線の照射を開始する。一方、曝射スイッチ１４を全押ししたタイミングで、制御部２１は、スピーカ２５および表示器２６に指示データを起こるために、撮影メニューに応じた指示データを出力する。なお、指示データには、呼吸動作の開始のタイミングおよび呼吸動作の例えば音声案内の長さなどの情報が含まれていてもよい。
【００２７】
記憶部１５は、ＲＩＳから受信した複数の検査オーダーを記憶する。記憶部１５は、検査オーダーのＸ線撮影メニューに対応する撮影条件を記憶する。また、記憶部１５は、その他Ｘ線撮影装置１を動作させるためのプログラムを記憶する。記憶部１５および後述するテーブル２２は、ＲＡＭ（Random-Access Memory）などに代表される記憶媒体で構成されている。
【００２８】
＜音声発生装置２０の構成＞
Ｘ線撮影装置１は、更に、外付けの装置として音声発生装置２０を備えている。音声発生装置２０は、制御部２１、テーブル２２、操作部２３、指示データ出力部２４、スピーカ２５および表示器２６を備えている。
【００２９】
制御部２１は、音声に関して統括制御する。テーブル２２は、図３（ａ）に示すような、撮影部位および検査種別の複数の組合せにそれぞれ対応する複数の呼吸動作指示データを記憶する。すなわち、テーブル２２は、撮影部位および検査種別の所定の組合せと所定の呼吸動作指示データとを対応付けて記憶する。呼吸動作指示データは、以下適宜、「指示データ」と呼ぶ。指示データは、予め設定されたデータである。
【００３０】
図３（ａ）は、撮影部位および検査種別の組合せと指示データの対応付けの一例を示す図である。図３（ａ）において、例えば、指示データａは、胸部および検査Ａの組合せに対応する。指示データｃは、腹部および検査Ｃの組合せに対応する。指示データｅは、胸部および検査Ｅの組合せに対応する。また、指示データｆは、肺部および検査Ｆの組合せに対応する。指示データａ〜ｆは各々、呼気動作、吸気動作および状態維持動作の少なくとも１つを有する。指示データは、スピーカ２５および表示器２６の説明において説明する。
【００３１】
制御部２１は、入力ポート１０または操作卓１２から、撮影部位および検査種別の組合せ（例えば胸部および検査Ａ）を受信すると、受信した組合せ（例えば胸部および検査Ａ）に応じた指示データａをテーブル２２から取得する。なお、所定の検査（例えば検査Ａ）の内容が他の検査（例えば検査Ｂ）の内容と同じであってもよい。
【００３２】
図３（ｂ）は、各検査オーダーの撮影部位および検査種別の組合せに応じて指示データを取得する様子を説明するための図である。図３（ｂ）において、被検体Ｍ１、被検体Ｍ２、被検体Ｍ３、被検体Ｍ４、被検体Ｍ５の順番でＸ線撮影が行われるものとする。例えば、被検体Ｍ１に対する検査オーダーは、２つのＸ線撮影メニューを有している。第１のＸ線撮影メニューは、胸部および検査Ａの情報を含んでいる。第２のＸ線撮影メニューは、胸部および検査Ｂの情報を含んでいる。被検体Ｍ５に対する検査オーダーは、１つのＸ線撮影メニュー（肺部および検査Ｆを含む）を有している。
【００３３】
制御部２１は、複数のＸ線撮影メニューに基づいてＸ線撮影を順番に行うために、複数のＸ線撮影メニューの各々の撮影部位および検査種別の組合せ（例えば胸部および検査Ａ）に応じた指示データをテーブル２２から取得する。被検体Ｍ１に対する胸部および検査ＡのＸ線撮影の場合は、制御部２１は、テーブル２２から指示データａを取得する。被検体Ｍ１に対する胸部および検査ＢのＸ線撮影の場合は、制御部２１は、テーブル２２から指示データｂを取得する。また、被検体Ｍ５に対する肺部および検査ＦのＸ線撮影の場合は、制御部２１は、テーブル２２から指示データｆを取得する。
【００３４】
なお、図３（ｂ）において、例えば、被検体Ｍ３の所定の撮影部位（部位）および検査ＧのＸ線撮影のように呼吸動作の案内を必要としない場合は、制御部２１は、指示データを取得しないようにしてもよい。
【００３５】
図２に戻る。操作部２３は、呼吸動作を選択するため、例えば操作盤で構成されている。操作部２３は、操作用ディスプレイ２３Ａと操作入力部２３Ｂとを備えている。操作用ディスプレイ２３Ａは、例えば液晶ディスプレイまたは有機ＥＬディスプレイで構成されている。図２に示す操作用ディスプレイ２３Ａは、図４に示すように、Ｘ線撮影メニュー（検査種別および撮影部位など）の内容の一部または全部を表示する。更に、操作用ディスプレイ２３Ａは、指示データも合わせて表示する。図４において、操作用ディスプレイ２３Ａには、例えば、被検体Ｍ１の氏名、胸部（撮影部位）および検査Ａの名称などが表示される。また、操作用ディスプレイ２３Ａには、指示データが表示される。表示される指示データとして、例えば、吸気動作および状態維持動作をこの順番で行うことが挙げられる。
【００３６】
図２に戻る。操作入力部２３Ｂは、操作用ディスプレイ２３Ａに表示された指示データを変更することができるように構成されている。操作入力部２３Ｂは、例えば複数のスイッチ又はタッチパネルで構成されている。複数のスイッチは、操作用ディスプレイ２３Ａの周りに配置される。タッチパネルは、例えば抵抗膜方式のタッチパネルで構成され、操作用ディスプレイ２３Ａの前面に配置される。
【００３７】
指示データ出力部２４は、増幅器（アンプ）およびディジタルアナログ変換器（Ｄ／Ａコンバータ）のいずれか１つを含む電気回路で構成されている。指示データ出力部２４は、呼吸動作の指示データを増幅したり、ディジタルアナログ変換したりして、呼吸動作の指示データを出力する。すなわち、指示データ出力部２４は、例えば増幅およびディジタルアナログ変換後の呼吸動作指示データをスピーカ２５に送り込む。
【００３８】
スピーカ２５は、音声指示データ出力部２４から出力された呼吸動作の指示データ（電気信号）を膜の機械的振動に変えて音を出すものである。スピーカ２５は、指示データに従って、音声案内により呼吸動作を指示する。例えば、呼気動作を指示する場合、スピーカ２５は「息を吐いて」の音声を出力する。吸気動作を指示する場合、スピーカ２５は「息を吸って」の音声を出力する。また、呼吸停止した状態の動作（状態維持動作）を指示する場合、スピーカ２５は「そのまま息を止めてください」の音声を出力する。
【００３９】
図３（ａ）に示すように、スピーカ２５は、例えば胸部および検査Ａに対応する指示データａの場合、「息を吸って」、「そのまま息を止めてください」の順序で音声を出力する。スピーカ２５は、例えば腹部および検査Ｃに対応する指示データｃの場合、「息を吸って」、「そのまま息を止めてください」の順序で音声を出力する。スピーカ２５は、例えば胸部および検査Ｅに対応する指示データｅの場合、「そのまま息を止めてください」の音声を出力する。また、スピーカ２５は、例えば肺部および検査Ｆに対応する指示データｆの場合、「息を吐いて」、「そのまま息を止めてください」の順序で音声を出力する。
【００４０】
また、表示器２６は、指示データに従って、視覚的表示により呼吸動作を指示する。すなわち、表示器２６は、制御部２１から出力された呼吸動作の指示データを例えば文字、記号、数字、図形又はこれらの組合せに変えて表示する。表示器２６は、例えば液晶ディスプレイ、有機ＥＬディスプレイ、ＬＥＤ（light emitting diode）ディスプレイまたはＶＦ（vacuum fluorescent）ディスプレイで構成されている。
【００４１】
例えば、呼気動作を指示する場合、表示器２６は「息を吐いて」と表示する。また、吸気動作を指示する場合、表示器２６は「息を吸って」と表示する。また、呼吸停止した状態の動作（状態維持動作）を指示する場合、表示器２６は「そのまま息を止めてください」と表示する。
【００４２】
図３（ａ）に示すように、表示器２６は、例えば胸部および検査Ａに対応する指示データａの場合、「息を吸って」、「そのまま息を止めてください」の順序で呼吸動作を表示する。表示器２６は、例えば腹部および検査Ｃに対応する指示データｃの場合、「息を吸って」、「そのまま息を止めてください」の順序で呼吸動作を表示する。表示器２６は、例えば胸部および検査Ｅに対応する指示データｅの場合、「そのまま息を止めてください」の呼吸動作を表示する。また、表示器２６は、例えば肺部および検査Ｆに対応する指示データｆの場合、「息を吐いて」、「そのまま息を止めてください」の順序で呼吸動作を表示する。表示器２６による呼吸動作の表示は、スピーカ２５による音声出力と同時のタイミングで行われる。
【００４３】
音声発生装置２０は、本発明の動作指示装置に相当する。テーブル２２は、本発明の指示データ記憶部に相当する。スピーカ２５および表示器２６の少なくとも一方は、本発明の指示実行部に相当する。操作部２３は、本発明の動作指示操作部に相当する。操作用ディスプレイ２３Ａは、本発明のディスプレイ部に相当する。ＲＩＳは、本発明の外部管理システムに相当する。
【００４４】
図２に示すように、Ｘ線撮影装置１のうち、入力ポート１０、画像処理部１１、操作卓１２、曝射スイッチ１４、記憶部１５、音声発生装置２０の制御部２１、テーブル２２、操作部２３および指示データ出力部２４は、操作室に設けられている。Ｘ線撮影装置１のうち、Ｘ線管２、ＦＰＤ３、支柱４（図１を参照）、立位スタンド５（図１を参照）、撮影用制御部１３、音声発生装置２０のスピーカ２５および表示器２６は、Ｘ線室に設けられている。操作室にいる技師が、Ｘ線室に設けられたＸ線管２やＦＰＤ３や支柱４や立位スタンド５等を遠隔操作することにより撮影を行う。
【００４５】
＜Ｘ線撮影装置１の動作説明＞
次に、Ｘ線撮影装置１の動作について、図１〜図４を参照して説明する。
【００４６】
入力ポート１０がＲＩＳから検査オーダーを受信すると、検査オーダーは記憶部１５に記憶される。検査オーダーは、例えば被検体Ｍ１の情報（氏名、性別、年齢など）と、２つのＸ線撮影メニュー［図３（ｂ）参照］とを含んでいる。第１のＸ線撮影メニューは、胸部および検査Ａの情報を含んでいる。第２のＸ線撮影メニューは、胸部および検査Ｂの情報を含んでいる。記憶部１５には、受信した検査オーダーを含む複数の検査オーダーが記憶されている。
【００４７】
技師は、操作卓１２の操作用ディスプレイ１２Ａおよび操作入力部１２Ｂを用いて、複数の検査オーダーの中から任意の検査オーダーを選択する。例えば被検体Ｍ１に関する検査オーダーを選択すると、選択された検査オーダーの２つのＸ線撮影メニューの各々に対応する撮影条件が記憶部１５から読み出される。被検体Ｍ１に関する検査オーダーおよび各Ｘ線撮影メニューに対応する撮影条件は、ツリー構造で階層的に操作用ディスプレイ１２Ａに表示される。技師は、操作用ディスプレイ１２Ａおよび操作入力部１２Ｂを用いて、撮影条件の必要な変更を行う。なお、被検体Ｍ１に関する検査オーダーは、操作用ディスプレイ１２Ａおよび操作入力部１２Ｂを用いて、新規で作成してもよい。
【００４８】
選択された検査オーダーは、音声発生装置２０の制御部２１に送られる。上述のように、選択された検査オーダーは、例えば、被検体Ｍ１に関するものである。被検体Ｍ１に関する検査オーダーは、図１３（ｂ）に示すように、２つのＸ線撮影メニューを含む。第１のＸ線撮影メニューは胸部および検査Ａの情報を含んでいる。第２のＸ線撮影メニューは胸部および検査Ｂの情報を含んでいる。
【００４９】
制御部２１は、胸部および検査Ａの組合せを受信すると、受信した胸部および検査Ａの組合せに応じた指示データａをテーブル２２から取得する。同様に、制御部２１は、胸部および検査Ｂの組合せを受信すると、受信した胸部および検査Ｂの組合せに応じた指示データｂをテーブル２２から取得する。すなわち、制御部２１は、２つのＸ線撮影メニューに基づいてＸ線撮影を順番に行うために、２つのＸ線撮影メニューの各々の撮影部位（例えば胸部）および検査種別（例えば検査Ａまたは検査Ｂ）の組合せに応じた２つの指示データａ，ｂをテーブル２２から取得する。
【００５０】
音声発生装置２０において、操作部２３の操作用ディスプレイ２３Ａは、図４に示すように、Ｘ線撮影メニュー（検査種別および撮影部位など）の内容の一部または全部を表示する。更に、操作用ディスプレイ２３Ａは、指示データも合わせて表示する。図４において、操作用ディスプレイ２３Ａには、例えば、被検体Ｍ１の氏名、胸部（撮影部位）および検査Ａの名称（検査種別）が表示される。更に、操作用ディスプレイ２３Ａには、吸気動作および状態維持動作をこの順番で行うことが呼吸動作の指示データａとして表示される。なお、第２のＸ線撮影メニューは、別の画面に切り替えることで表示される。
【００５１】
技師は、操作部２３の操作用ディスプレイ２３Ａに表示された指示データａ（呼吸動作）を、操作入力部２３Ｂを用いて変更することができる。音声発生装置２０の操作において、技師が撮影部位および検査種別を確認することができると共に、呼吸動作指示データも合わせて確認することができる。そのため、呼吸動作指示データの技師による手動変更を容易に行うことができる。また、呼吸動作指示データは、撮影部位および検査種別の組合せに応じて制御部２１が取得している。技師は、呼吸動作指示データを新規に作成せず、また、呼吸動作指示データに必要な変更を行った場合でも変更が比較的最小限で済む。そのため、設定間違いを防止しながら、呼吸動作指示データの設定が容易である。
【００５２】
設定された撮影条件の撮影部位に位置するようにＦＰＤ３（図１および図２を参照）を上下に昇降移動させてポジショニングを行う。Ｘ線管２（図１および図２を参照）からのＸ線が、その撮影部位にポジショニングされたＦＰＤ３に照射されるようにＸ線管２の向きを調整し、その撮影部位に対向した位置にＸ線管２が位置するように支柱４（図１を参照）を伸縮移動させる。立位スタンド５（図１を参照）に対して立位姿勢の被検体Ｍ（図１を参照）を正面に向き合わせて、被検体Ｍを立位姿勢で支持する。なお、Ｘ線管２およびＦＰＤ３のポジショニングに時間をさほど要さない場合には、先に被検体Ｍを立位姿勢で支持した後にＸ線管２およびＦＰＤ３のポジショニングを行ってもよい。
【００５３】
技師は曝射スイッチ１４（図２を参照）を半押ししてＸ線管２に管電圧を印加して照射準備を設定する。続いて、技師は曝射スイッチ１４を全押ししてＸ線管２からのＸ線の照射を開始する。なお、照射準備に時間を要する場合には、操作卓１２への入力操作やポジショニングの前に、曝射スイッチ１４を予め半押ししてもよい。
【００５４】
［第１のＸ線撮影メニューによるＸ線撮影］
被検体Ｍ１に対して第１のＸ線撮影メニューに基づきＸ線撮影を行う。曝射スイッチ１４を全押ししたタイミングで、音声発生装置２０の制御部２１は、スピーカ２５および表示器２６に指示データａを送信する。具体的に、制御部２１は、音声案内を行うため、指示データ出力部２４を介してスピーカ２５に音声用の指示データａを送信する。これと同時に、制御部２１は、視覚的表示を行うため、表示器２６に表示用の指示データａを送信する。
【００５５】
スピーカ２５は、指示データａに従って、「息を吸って」、「そのまま息を止めてください」の順序で音声を出力する。スピーカ２５の音声案内に合わせるように、表示器２６は、指示データａに従って、「息を吸って」、「そのまま息を止めてください」の順序で呼吸動作を表示する。その後、Ｘ線管２はＸ線を照射する。ＦＰＤ３は、Ｘ線管２から照射されて被検体Ｍ１を透過したＸ線を検出する。画像処理部１１は、ＦＰＤ３で検出されたＸ線の画素値からなる画像を処理することにより、Ｘ線画像を生成する。
【００５６】
［第２のＸ線撮影メニューによるＸ線撮影］
第１のＸ線撮影メニューによるＸ線撮影を行った後に、第２のＸ線撮影メニューによりＸ線撮影を行う。曝射スイッチ１４を全押ししたタイミングで、音声発生装置２０の制御部２１は、スピーカ２５および表示器２６に指示データｂを送信する。
【００５７】
スピーカ２５は、指示データｂに従って、「息を吐いて」、「そのまま息を止めてください」の順序で音声を出力する。スピーカ２５の音声案内に合わせるように、表示器２６は、指示データａに従って、「息を吐いて」、「そのまま息を止めてください」の順序で呼吸動作を表示する。その後、Ｘ線管２はＸ線を照射して、Ｘ線画像を生成する。このように、被検体Ｍ１に対して２つのＸ線撮影メニューによるＸ線撮影が行われる。
【００５８】
表示器２６の呼吸動作の表示を、スピーカ２５の呼吸動作の音声出力と同時のタイミングで行う。これにより、被検体Ｍ１は、スピーカ２５による音声指示を正確に把握することができるとともに、表示器２６による指示を正確に把握することができる。
【００５９】
本実施例によれば、音声発生装置２０およびＸ線撮影装置１において、テーブル２２は、撮影部位および検査種別の複数の組合せに各々対応する複数の指示データを記憶する。スピーカ２５および表示器２６は、指示データに従って呼吸動作を指示する。指示データは、制御部２１により、撮影部位および検査種別の組合せに応じた指示データをテーブル２２から取得される。これにより、撮影部位および検査種別の所定の組合せに対応する呼吸動作の設定間違いを防止できる。そのため、設定間違いに起因するＸ線撮影のやり直しを防止でき、被検体の負担を防止できる。また、Ｘ線撮影をやり直すにより検査時間が延びることを防止し、スループット低下の発生を防止できる。
【００６０】
また、スピーカ２５は、制御部２１が取得した指示データに従って、音声案内により呼吸動作を指示する。スピーカ２５の音声案内に従って、被検体Ｍは呼吸動作を行うことができる。また、表示器２６は、制御部２１が取得した指示データに従って、視覚的表示により呼吸動作を指示する。表示器２６の視覚的表示に従って、被検体Ｍは呼吸動作を行うことができる。
【００６１】
また、音声発生装置２０およびＸ線撮影装置１は、撮影部位および検査種別の一部または全部を表示すると共に、指示データも合わせて表示する操作用ディスプレイ２３Ａおよび、操作用ディスプレイ２３Ａに表示された指示データを変更することができる操作入力部２３Ｂを有する操作部２３を備えている。
【００６２】
音声発生装置２０の操作において、技師が撮影部位および検査種別を確認することができると共に、指示データも合わせて確認することができる。そのため、指示データの技師による手動変更を容易に行うことができる。また、指示データは、撮影部位および検査種別の組合せに応じて制御部２１が取得している。技師は、指示データを新規に作成せず、また、呼吸動作指示データに必要な変更を行った場合でも変更が比較的最小限で済む。そのため、設定間違いを防止しながら、呼吸動作指示データの設定が容易である。
【００６３】
撮影部位の表示（モニタ）がＸ線撮影装置側にあるのに、呼気・吸気・呼吸停止を指示するコマンド（呼気・吸気・呼吸停止の状態）の表示（表示器）が医療用音声発生装置側の操作盤面上にあるので、技師が操作するときに誤った設定となりやすいという問題もある。この点、技師は、操作部２３の操作用ディスプレイ２３Ａにより、呼吸動作指示データを確認できるので、設定間違いを防止できる。
【００６４】
また、入力ポート１０は、ＲＩＳから送られた複数のＸ線撮影メニューを受信する。複数のＸ線撮影メニューは各々、撮影部位および検査種別を有する。制御部２１は、複数のＸ線撮影メニューに基づいてＸ線撮影を順番に行うために、複数のＸ線撮影メニューの各々の撮影部位および検査種別の組合せに応じた指示データをテーブル２２から取得する。これにより、撮影部位および検査種別の組合せ毎に、最適な呼吸動作の指示データを取得できる。撮影部位および検査種別の複数の組合せに対応する呼吸動作の設定間違いを防止できる。
【実施例２】
【００６５】
次に、図面を参照して本発明の実施例２を説明する。図５は、実施例２に係るＸ線撮影装置および音声発生装置のブロック図である。
【００６６】
上述した実施例１では、Ｘ線撮影装置１は、外付け装置として音声発生装置２０を備えていた。それに対して、本実施例２では、Ｘ線撮影装置１は、その内部に音声発生装置２０を備えている。すなわち、Ｘ線撮影装置１は、音声発生装置２０を内蔵している。そのため、実施例１では、図２に示すように、撮影用制御部１３と制御部２１とを個別に備えていた。この点、本実施例２では、図５に示すように、撮影用制御部１３（図２を参照）と制御部２１（図２を参照）とを１つの制御部２７にしている。そのため、制御部２７は、入力ポート１０または、操作卓１２の操作入力部１２Ｂからの撮影部位および検査種別の組合せを受信すると、受信した組合せに応じた指示データをテーブル２２から取得する。
【００６７】
また、実施例１では、図２に示すように、操作卓１２とは個別に、操作部２３が設けられていた。この点、本実施例２では、操作卓１２が操作部２３の機能を有するように構成されていてもよい。この場合、操作卓１２の操作用ディスプレイ１２Ａは、図４に示すように、Ｘ線撮影メニュー（検査種別および撮影部位など）の内容の一部または全部を表示する。更に、操作用ディスプレイ１２Ａは、指示データも合わせて表示する。図４に示す画面と、撮影条件などを設定する画面は任意に切り替えられることができるように構成されている。また、図５において、テーブル２２は、記憶部１５と別に設けられている。この点、記憶部１５は、テーブル２２を有していてもよい。
【００６８】
本実施例２のＸ線撮影装置１の動作は、上述した実施例１と同じであるので、その説明を省略する。なお、操作卓１２は、本発明の動作指示操作部に相当する。
【００６９】
本実施例によれば、テーブル２２は、撮影部位および検査種別の複数の組合せに各々対応する複数の呼吸動作指示データを記憶する。スピーカ２５および表示器２６は、指示データに従って呼吸動作を指示する。指示データは、制御部２７により、撮影部位および検査種別の組合せに応じた指示データをテーブル２２から取得される。これにより、撮影部位および検査種別の所定の組合せに対応する呼吸動作の設定間違いを防止できる。そのため、設定間違いに起因するＸ線撮影のやり直しを防止でき、被検体の負担を防止できる。また、Ｘ線撮影をやり直すにより検査時間が延びることを防止し、スループット低下の発生を防止できる。
【００７０】
本発明は、上記実施形態に限られることはなく、下記のように変形実施することができる。
【００７１】
（１）上述した各実施例では、Ｘ線検出器としてフラットパネル型Ｘ線検出器（ＦＰＤ）のようなデジタルＸ線検出器を用いたが、イメージインテンシファイア（Ｉ．Ｉ．）やＸ線フィルムのようなアナログＸ線検出器を用いてもよい。
【００７２】
（２）上述した各実施例および変形例（１）では、医療用音声発生装置は、比較的表示により呼吸動作を指示する表示器２６を備えたが、必ずしも表示器２６を備える必要はない。表示器はオプション（標準仕様以外の追加）である。
【００７３】
（３）上述した各実施例および変形例（１）では、医療用音声発生装置は、音声案内により呼吸動作を指示するスピーカ２５を備えたが、必ずしもスピーカ２５を備える必要はない。
【００７４】
（４）上述した実施例２のようにＸ線撮影装置が医療用音声発生装置を備えた場合、撮影に関して統括制御する撮影用制御部１３（図２を参照）と撮影部位に応じたプリセット信号を出力する制御を行うオートボイス制御部２１（図２を参照）とを１つの制御部２７（図３を参照）にした。しかしながら、必ずしも前者の撮影用制御部１３と後者の制御部２１とを１つにする必要はない。上述した実施例２のようにＸ線撮影装置が医療用音声発生装置を備えた場合においても、上述した実施例１と同様に、前者の撮影用制御部１３と後者のオートボイス制御部２１とを個別に備えてもよい。
【００７５】
（５）上述した各実施例および各変形例では、入力ポート１０は、例えば端子および電気回路などで構成されていた。この点、入力ポート１０は、ＤＲ装置（画像処理ユニット）で構成されていてもよい。ＤＲ装置は、コンピュータ（例えばパーソナルコンピュータまたはワークステーション）で構成されている。ＤＲ装置がＲＩＳから撮影オーダーを受け取ると、ＤＲ装置の記憶部に記憶される。この記憶部に記憶された複数の撮影オーダーのうち、任意の撮影オーダーを選択すると、被検体および、Ｘ線撮影メニューに応じた撮影条件が撮影用制御部１３に通知される。
【００７６】
（６）上述した各実施例および各変形例では、制御部２１は、撮影部位および検査種別に応じた指示データをテーブル２２から取得した。音声発生装置２０は、制御部２１が取得した指示データを無効にして、スピーカ２５および表示器２６に手動で指示データを送るように構成されていてもよい。
【００７７】
具体的には、音声発生装置２０は、少なくとも３つのスイッチと、手動切換スイッチとを備えている。３つのスイッチは、呼気動作指示スイッチ、吸気動作指示スイッチおよび状態維持動作指示スイッチである。呼気動作指示スイッチは、呼気動作を行うための指示データを出力する。吸気動作指示スイッチは、吸気動作の指示データを出力する。状態維持動作指示スイッチは、状態維持動作の指示データを出力する。手動切換スイッチは、制御部２１が取得した指示データを無効にしたり、制御部２１が取得した指示データを有効にしたりする。指示データを無効にした場合に、３つのスイッチからの指示データを有効にする。
【００７８】
技師が３つのスイッチのいずれかを選択する。例えば、吸気動作指示スイッチおよび状態維持動作指示スイッチをこの順番で選択する。これにより、例えばスピーカ２５は、「息を吸って」、「そのまま息を止めてください」の順序で音声を出力する。
【００７９】
なお、手動切換スイッチは、テーブル２２を参照して指示データを取得しないようにしたり、テーブル２２を参照して指示データを取得するようにしたりしてもよい。テーブル２２を参照して指示データを取得しない場合に、３つのスイッチからの指示データを有効にするようにしてもよい。
【００８０】
（７）上述した各実施例および各変形例では、音声が、「息を吸って」、「息を吐いて」、「そのまま息を止めて下さい」の３パターンであった。この点、これらに、例えば「深く息を吸って」との他の音声を加えてもよい。
【符号の説明】
【００８１】
１        …  Ｘ線撮影装置
２        …  Ｘ線管
３        …  フラットパネル型Ｘ線検出器（ＦＰＤ）
１０      …  入力ポート
１１      …  画像処理部
１２      …  操作卓
２０      …  医療用音声発生装置
２１      …  制御部
２２      …  テーブル
２３      …  操作部
２５      …  スピーカ
２６      …  表示器
２７      …  制御部
Ｍ（Ｍ１〜Ｍ５）  …  被検体
【図１】
2020195733.tif 000003
【図２】
2020195733.tif 000004
【図３】
2020195733.tif 000005
【図４】
2020195733.tif 000006
【図５】
2020195733.tif 000007